(57)【要約】【課題】ブレース設置のための構成部品点数が少なくて、資材管理や施工管理が容易であると共に、コスト低減、工期短縮が可能な屋根鉄骨のブレース設置構造を提供する。【解決手段】断面略Ｈ状の梁鉄骨１と当該梁鉄骨にボルト・ナット４を介して直角に架設された断面略Ｈ状の梁鉄骨２とで構成される屋根鉄骨を両側の梁鉄骨間に対角線方向に掛け渡したブレース７で補強するにあたり、ブレース7をターンバックル８付きのブレース材９とその両端に連設されたフック１０付きガセットプレート１１とで構成し、前記フック付きガセットプレートを両側の梁鉄骨の下フランジに引っ掛け、前記ターンバックルで締め付け固定している。【選択図】図１
2008267022.tif 000002
【特許請求の範囲】
【請求項１】
断面略Ｈ状の梁鉄骨と当該梁鉄骨に直角に架設された断面略Ｈ状の梁鉄骨とで構成される屋根鉄骨を両側の梁鉄骨間に対角線方向に掛け渡したブレースで補強した屋根鉄骨のブレース設置構造であって、前記ブレースをターンバックル付きのブレース材とその両端に連設されたフック付きガセットプレートとで構成し、前記フック付きガセットプレートを両側の梁鉄骨の下フランジに引っ掛け、前記ターンバックルで締め付け固定してあることを特徴とする屋根鉄骨のブレース設置構造。
【請求項２】
請求項１に記載の屋根鉄骨のブレース設置構造であって、フック付きガセットプレートを平板部とその先端に連設され且つ平面視において直角に折れ曲がった形状のフックとで構成し、当該フック付きガセットプレートを両側の小梁用の梁鉄骨における下フランジの外側のコーナー部に引っ掛け、前記ターンバックルで締め付け固定してあることを特徴とする屋根鉄骨のブレース設置構造。
【請求項３】
請求項１に記載の屋根鉄骨のブレース設置構造であって、フック付きガセットプレートを平板部とその先端に連設された幅広のフックとで構成し、当該フック付きガセットプレートを両側の大梁用の梁鉄骨における下フランジの外側縁部に引っ掛け、前記ターンバックルで締め付け固定してあることを特徴とする屋根鉄骨のブレース設置構造。
【請求項４】
請求項１に記載の屋根鉄骨のブレース設置構造であって、平板部とその先端に連設され且つ平面視において直角に折れ曲がった形状のフックとで構成したフック付きガセットプレートを両側の小梁用の梁鉄骨における下フランジの外側のコーナー部に引っ掛け、前記ターンバックルで締め付け固定する一方、平板部とその先端に連設された幅広のフックとで構成したフック付きガセットプレートを両側の大梁用の梁鉄骨における下フランジの外側縁部に引っ掛け、前記ターンバックルで締め付け固定してあることを特徴とする屋根鉄骨のブレース設置構造。
【発明の詳細な説明】
【技術分野】
【０００１】
本発明は、断面略Ｈ状の梁鉄骨と当該梁鉄骨に直角に架設された断面略Ｈ状の梁鉄骨とで構成される屋根鉄骨を両側の梁鉄骨間に対角線方向に掛け渡したブレースで補強した屋根鉄骨のブレース設置構造に関する。
【背景技術】
【０００２】
現在、旧耐震設計法で設計された建物に対して、耐震診断や耐震補強が数多く行われている。中でも、学校の体育館は地域住民の避難場所として利用されることもあり、その補強は重要な課題となっている。
【０００３】
一般に、旧耐震設計法で設計された体育館の屋根面は現行の基準等で検討を行うと、水平ブレースが不足することが多い。また、屋根面に水平ブレースが全く設置されていない建物も散見される。
【０００４】
このような場合、既設の屋根鉄骨を両側の梁鉄骨間に対角線方向に掛け渡した水平ブレースで補強することが必要となる。しかしながら、従来では、既設の屋根鉄骨に水平ブレースを追加する場合、工場で必要個数のガセットプレートを製作し、これらのガセットプレートを屋根鉄骨の所定位置に溶接により取り付け、しかる後、ガセットプレート間にブレース材を溶接により取り付けるといった施工法が採られていたので、次のような問題点があった。
（１）足場を設置し、高所で溶接作業を行うため、大規模な養生が必要となり、コストが高く付き、工期も長くなる。
（２）溶接姿勢が上向きに近くなるため、溶接作業が面倒であり、溶接品質の確保が困難である。
【０００５】
尚、柱と梁で組み立てられた小規模鉄骨構造物の補強装置としては、特許文献１に見られるように、柱又は梁用の鉄骨の面より幅の広い平面を有する固定用プレートと、それに直結され中央部にブレース連結用孔が形成された連結用プレートと、鉄骨の幅に相当する間隔をおいて固定用プレートの両側から直角に突き出し先端に鈎爪を有するアンカーボルトと、それを固定用プレートに装着するナットと、固定用プレートの幅方向中央部に形成されたボルト孔に螺合する固定用ボルトと、ターンバックル付き丸棒にガセットプレートを溶接して成るブレース材と、ブレース材のガセットプレートと連結用プレートとを連結するボルト・ナットとで構成された補強装置が知られている。
【０００６】
しかしながら、この補強装置は、固定用プレート及び連結用プレート、固定用プレートを柱又は梁用の鉄骨に固定するための固定用ボルトとアンカーボルトとナット、ターンバックル付き丸棒にガセットプレートを溶接して成るブレース材、ブレース材のガセットプレートと連結用プレートとを連結するボルト・ナットといった数多くの部品が必要であるから、コストが嵩むばかりでなく、部品点数が多くて、資材管理や施工管理が非常に面倒であり、既設の屋根鉄骨の耐震補強対策としては不向きである。
【０００７】
【特許文献１】特公平５−７５８６０号公報
【発明の開示】
【発明が解決しようとする課題】
【０００８】
本発明は、上記の問題点を踏まえてなされたものであって、その目的とするところは、ブレース設置のための構成部品点数が少なくて、資材管理や施工管理が容易であると共に
、コスト低減、工期短縮が可能な屋根鉄骨のブレース設置構造を提供することにある。
【課題を解決するための手段】
【０００９】
上記の目的を達成するために本発明では、断面略Ｈ状の梁鉄骨と当該梁鉄骨に直角に架設された断面略Ｈ状の梁鉄骨とで構成される屋根鉄骨を両側の梁鉄骨間に対角線方向に掛け渡したブレースで補強するにあたり、ブレースをターンバックル付きのブレース材とその両端に連設されたフック付きガセットプレートとで構成し、前記フック付きガセットプレートを両側の梁鉄骨の下フランジに引っ掛け、前記ターンバックルで締め付け固定している。
【００１０】
具体的には、請求項２に記載の発明のように、フック付きガセットプレートを平板部とその先端に連設され且つ平面視において直角に折れ曲がった形状のフックとで構成し、当該フック付きガセットプレートを両側の小梁用の梁鉄骨における下フランジの外側のコーナー部に引っ掛け、前記ターンバックルで締め付け固定している。
【００１１】
請求項３に記載の発明では、フック付きガセットプレートを平板部とその先端に連設された平面視において直線的な形状のフックとで構成し、当該フック付きガセットプレートを両側の大梁用の梁鉄骨における下フランジの外側縁部に引っ掛け、前記ターンバックルで締め付け固定している。
【００１２】
請求項４に記載の発明では、平板部とその先端に連設され且つ平面視において直角に折れ曲がった形状のフックとで構成したフック付きガセットプレートを両側の小梁用の梁鉄骨における下フランジの外側のコーナー部に引っ掛け、前記ターンバックルで締め付け固定する一方、平板部とその先端に連設された平面視において直線的な形状のフックとで構成したフック付きガセットプレートを両側の大梁用の梁鉄骨における下フランジの外側縁部に引っ掛け、前記ターンバックルで締め付け固定している。
【００１３】
尚、本発明において、断面略Ｈ状の梁鉄骨とは、Ｈ形鋼による梁鉄骨やＩ形鋼による梁鉄骨の他、アングル材又は山形鋼を背中合わせに配置してフランジ部を構成し、上下のフランジ部間にフラットバー等によるラチス材を設けたトラス梁をも包含する意味である。
【発明の効果】
【００１４】
請求項１〜４に記載の発明によれば、ブレース両端のフック付きガセットプレートを両側の梁鉄骨の下フランジに引っ掛けて、ターンバックルで締め付けるだけで、屋根鉄骨を補強することができ、高所における上向き姿勢での溶接作業が省略されるため、非常に短時間かつ安全に施工を完了でき、大幅な工期短縮とコスト低減が可能であり、しかも、ターンバックル付きのブレース材の両端にフック付きガセットプレートが連設されたブレースを用いるため、ブレース設置のための構成部品点数が少なくて、資材管理や施工管理も容易である。
【００１５】
請求項２に記載の発明によれば、大梁と小梁の梁成が同一の場合の屋根鉄骨の補強に好適である。即ち、大梁と小梁の梁成が同一であっても、大梁用の鉄骨とそれにボルト・ナットを介して直角に架設された小梁用の鉄骨との間には、通常、１０ｍｍ程度の隙間が形成されるので、大梁用鉄骨の下フランジと小梁用鉄骨の下フランジとの間に形成される１０ｍｍ程度の隙間に下方からガセットプレートのフックを差し込んで、小梁用鉄骨の下フランジの外側のコーナー部に引っ掛けることができ、ブレースの設置が可能である。
【００１６】
請求項３、４に記載の発明によれば、フック付きガセットプレートを両側の大梁用の梁鉄骨における下フランジの外側縁部に引っ掛るので、大梁と小梁の梁成が異なる場合に好適であり、殊に、屋根面の直下に存在する空調用配管、照明器具等の天井設備がブレース
の障害になる場合に、それらの天井設備を避けてブレースを設置することができるという利点がある。
【発明を実施するための最良の形態】
【００１７】
以下、本発明の実施形態を図面に基づいて説明する。図１、図２、図７、図８は、本発明に係る屋根鉄骨のブレース設置構造の一例を示す。１はＨ形鋼による大梁用の梁鉄骨、２はＨ形鋼による小梁用の梁鉄骨であり、大梁用の梁鉄骨1にボルト・ナット４を介して
直角に架設され、これらにより大梁と小梁の梁成が同一の屋根鉄骨を構成している。
【００１８】
５は大梁用の梁鉄骨１の上，下フランジ１ａ，１ｂとウエブ１ｃとに溶接された小梁接合用のガセットプレートである。２ａは小梁用の梁鉄骨２の上フランジ、２ｂは下フランジ、２ｃはウエブであり、上，下フランジ２ａ，２ｂと、大梁用の梁鉄骨１の上，下フランジ１ａ，１ｂとの間には１０ｍｍ程度の隙間Ｓが形成されている。６は屋根材である。尚、図６〜図８に示した実施形態においては、ガセットプレート５と小梁用の梁鉄骨２のウエブ２ｃを重ね合わせてボルト・ナット４で接合しているが、後述する図１１、図１２のように、ガセットプレート５と小梁用の梁鉄骨２のウエブ２ｃとを１０ｍｍ程度の隙間Ｓを隔てた状態に相対向させ、それらを挟持するスプライスプレート３とボルト・ナット４とで接合してもよい。
【００１９】
７は上記の屋根鉄骨に対角線方向に掛け渡した補強用のブレースであり、図３〜図５に示すように、ターンバックル８付きのブレース材９とその両端に連設されたフック１０付きガセットプレート１１とで構成されている。ブレース材９としては棒鋼が用いられている。フック１０付きガセットプレート１１は、平板部１２とその先端に連設され、且つ、小梁用の梁鉄骨２における下フランジ２ｂの外側のコーナー部に引っ掛けることができるように、平面視において（図４に示すように、平板部１２の板面と直角な方向から見て）直角に折れ曲がった形状のフック１０とで構成されている。
【００２０】
そして、フック１０付きガセットプレート１１のフック１０を大梁用の梁鉄骨１の下フランジ１ｂと小梁用の梁鉄骨２の下フランジ２ｂとの隙間Ｓに下方から差し込んで、両側の小梁用の梁鉄骨２における下フランジ２ｂの外側のコーナー部に引っ掛け、前記ターンバックル８で締め付け固定することによって、ブレース７を対角線方向に設置してある。
【００２１】
尚、図１に示した実施形態では、対角線方向に掛け渡したブレース７をＸ形に交差させるために、ターンバックル８を互いに重ならない位置に設けるだけでなく、図３に示すように、ブレース材９を平板部１２の表面側に溶接したブレース７と、ブレース材９を平板部１２の裏面側に溶接したブレース７とを用いている。
【００２２】
また、図示の実施形態では、３本以上の小梁用の梁鉄骨２間にブレース７を設置している関係上、１本の小梁用の梁鉄骨２における下フランジ２ｂの両コーナー部に引っ掛けた２枚のフック１０付きガセットプレート１１の平板部１２同士が互いに重なり合うので、フック１０としては、図５に示すように、平板部１２からの立ち上がり長さが下フランジ２ｂの厚さに対応する長さＨ１に設定された短いフック１０と、それよりも平板部１２の厚さ分長くした長さＨ2に設定された長いフック１０とを用いている。但し、平板部１２
同士が互いに重なり合う場合でも、長いフック１０だけで実施することは可能である。また、２本の小梁用の梁鉄骨２間にブレース７を設置する場合には、平板部１２同士の重なり合いがないので、短いフック１０だけを用いて実施できることになる。
【００２３】
上記の構成によれば、ブレース７両端のフック１０付きガセットプレート１１を両側の梁鉄骨２の下フランジ２ｂに引っ掛けて、ターンバックル８で締め付けるだけで、屋根鉄骨を補強することができ、高所における上向き姿勢での溶接作業が省略されるため、非常
に短時間かつ安全に施工を完了でき、大幅な工期短縮とコスト低減が可能であり、しかも、ターンバックル８付きのブレース材９の両端にフック１０付きガセットプレート１１が連設されたブレース７を用いるため、ブレース設置のための構成部品点数が少なくて、資材管理や施工管理も容易である。
【００２４】
図９〜図１２は、本発明の他の実施形態を示す。この実施形態は、ターンバックル８付きのブレース材９とその両端に連設されたフック１０付きガセットプレート１１とで構成されるブレース７における前記フック１０付きガセットプレート１１を平板部１２とその先端に連設された平面視において直線的な形状のフック１０とで構成し、当該フック１０付きガセットプレート１１を両側の大梁用の梁鉄骨１における下フランジ１ｂの外側縁部に引っ掛けて、ターンバックル８で締め付け固定した点に特徴がある。大梁用の梁鉄骨１に溶接された小梁接合用のガセットプレート５と、小梁用の梁鉄骨２のウエブ２ｃとは、１０ｍｍ程度の隙間Ｓを隔てた状態に相対向して配置され、それらを挟持するスプライスプレート３とボルト・ナット４とで接合されている。
【００２５】
上記の構成によれば、フック１０付きガセットプレート１１を両側の大梁用の梁鉄骨１における下フランジ１ｂの外側縁部に引っ掛るので、大梁と小梁の梁成が異なる場合に好適であり、殊に、屋根面の直下に存在する空調用配管、照明器具等の天井設備がブレース７の障害になる場合に、それらの天井設備を避けてブレース７を設置することができるという利点がある。その他の構成、作用は、図１〜図８の実施形態と同じであるから、同一構成部材に同一符号を付し、説明を省略する。
【００２６】
図１３は、本発明の他の実施形態を示し、大梁用の梁鉄骨１における下フランジ１ｂに対するフック１０付きガセットプレート１１の引っ掛け位置を大梁と小梁の交点にできるだけ近づけた点に特徴がある。その他の構成、作用は、図９〜図１２の実施形態と同じであるから、同一構成部材に同一符号を付し、説明を省略する。
【００２７】
図１４、図１５は、本発明の他の実施形態を示す。この実施形態は、図３で説明した小梁用の梁鉄骨２間に設置するブレース７と、図９、図１０で説明した大梁用の梁鉄骨１間に設置するブレース７とを用い、大梁用の梁鉄骨１の下フランジ１ｂ間に張り渡したブレース７と小梁用の梁鉄骨２の下フランジ２ｂ間に張り渡したブレース７とをＸ形に交差させて、屋根鉄骨を補強した点に特徴がある。即ち、平板部１２とその先端に連設され且つ平面視において直角に折れ曲がった形状のフック１０とで構成したフック１０付きガセットプレート１１を両側の小梁用の梁鉄骨２における下フランジ２ｂの外側のコーナー部に引っ掛け、ターンバックル８で締め付け固定する一方、平板部１２とその先端に連設された平面視において直線的な形状のフック１０とで構成したフック１０付きガセットプレート１１を両側の大梁用の梁鉄骨1における下フランジ１ｂの外側縁部に引っ掛け、ターン
バックル８で締め付け固定してある。その他の構成、作用は、図９〜図１２の実施形態と同じであるから、同一構成部材に同一符号を付し、説明を省略する。
【００２８】
尚、上述した各実施形態は、何れも、既設の屋根鉄骨の耐震補強として、ブレース７を設置したものであるが、本発明が屋根鉄骨を新築する場合にも適用できることは勿論である。また、上述した各実施形態では、何れも、大梁用の梁鉄骨１及び小梁用の梁鉄骨２がＨ形鋼であるが、本発明が適用される屋根鉄骨としては、大梁用の梁鉄骨１及び小梁用の梁鉄骨２をＩ形鋼としたものであってもよく、更には、大梁用の梁鉄骨１をＩ形鋼、小梁用の梁鉄骨２をＨ形鋼とした屋根鉄骨に対しても本発明は同様に適用できる。また、大梁用の梁鉄骨１と小梁用の梁鉄骨２のうち少なくとも一方を、図１６に示すように、一対のアングル材（又は山形鋼）１３を背中合わせに配置してフランジ部材を構成し、上下のフランジ部材間にフラットバー等によるラチス材１４を設けたトラス梁とした屋根鉄骨に対しても本発明は同様に適用できる。
【図面の簡単な説明】
【００２９】
【図１】本発明に係る屋根鉄骨のブレース設置構造を下方から見上げた図である。
【図２】要部の斜視図である。
【図３】ブレースの斜視図である。
【図４】フック付きガセットプレートの平面図である。
【図５】フック付きガセットプレートの要部の縦断側面図である。
【図６】ブレースを設置する直前の状態を示す要部の縦断側面図である。
【図７】ブレースを設置した状態を示す要部の縦断側面図である。
【図８】図7を小梁長手方向から見た状態を示す要部の縦断側面図である。
【図９】本発明の他の実施形態を示す屋根鉄骨のブレース設置構造を下方から見上げた図である。
【図１０】図９に用いられるブレースの説明図である。
【図１１】ブレースを設置する直前の状態を示す要部の縦断側面図である。
【図１２】ブレースを設置した状態を示す要部の縦断側面図である。
【図１３】本発明の他の実施形態を示す屋根鉄骨のブレース設置構造を下方から見上げた図である。
【図１４】本発明の他の実施形態を示す屋根鉄骨のブレース設置構造を下方から見上げた図である。
【図１５】ブレースを設置した状態を示す要部の縦断側面図である。
【図１６】断面略Ｈ状の梁鉄骨の一例を説明する図である。
【符号の説明】
【００３０】
Ｓ  隙間
１  大梁用の梁鉄骨
１ｂ  下フランジ
２  小梁用の梁鉄骨
２ｂ  下フランジ
３  スプライスプレート
４  ボルト・ナット
７  ブレース
８  ターンバックル
９  ブレース材
１０  フック
１１  ガセットプレート
１２  平板部
【図１】
2008267022.tif 000003
【図２】
2008267022.tif 000004
【図３】
2008267022.tif 000005
【図４】
2008267022.tif 000006
【図５】
2008267022.tif 000007
【図６】
2008267022.tif 000008
【図７】
2008267022.tif 000009
【図８】
2008267022.tif 000010
【図９】
2008267022.tif 000011
【図１０】
2008267022.tif 000012
【図１１】
2008267022.tif 000013
【図１２】
2008267022.tif 000014
【図１３】
2008267022.tif 000015
【図１４】
2008267022.tif 000016
【図１５】
2008267022.tif 000017
【図１６】
2008267022.tif 000018